(57)【要約】【課題】ガスメータとガス漏れ警報器とを信号線で接続したガス警報遮断システムにおいて、ガス漏れ警報器側で供給ガスとは異種のガスや火災を検知可能にし、且つ遮断事象が供給ガスの漏れか異種ガスや火災の検知かをガスメータ側に伝達すること可能にする。【解決手段】ガス漏れ警報器１が供給ガス（例えばＬＰガス）の漏れを検知するとガスメータ２に弁遮断信号を送信し、ガスメータ２がそれを受信したときにガス供給路を遮断し、遮断弁の遮断状態を示す弁遮断アンサ信号をガス漏れ警報器１に送信する。ガス漏れ警報器１は、この弁遮断アンサ信号を受信したとき遮断弁が遮断していることを警報する。ガス漏れ警報器１は異種ガス検知部（ＣＯガスセンサ部１４で例示）及び／又は火災検知部１５を有し、ＣＯガスや火災が検知された場合、供給ガスの漏れとは異種の遮断事象を示す異種遮断事象信号をガスメータ２に送信した後に上述の弁遮断信号を送信する。【選択図】図１
2009064081.tif 000002
【特許請求の範囲】
【請求項１】
供給されるガスの流量を計測するガスメータと、該ガスメータに信号線により相互に接続され、前記ガスの漏れを検知して警報するガス漏れ警報器と、ガス供給路に設けられたガスの遮断弁とを備え、
前記ガス漏れ警報器が、前記ガスの漏れを検知したときに前記信号線を介して前記ガスメータに弁遮断信号を送信し、前記ガスメータが、前記弁遮断信号を受信したときに、前記遮断弁を作動してガス供給路を遮断すると共に、前記信号線を介して前記遮断弁の遮断状態を示す弁遮断アンサ信号を前記ガス漏れ警報器に送信し、前記ガス漏れ警報器が、前記弁遮断アンサ信号を受信したときに、前記遮断弁が遮断していることを警報するガス警報遮断システムであって、
前記ガス漏れ警報器は、前記供給されるガスとは異種のガスを検知する異種ガス検知部、及び／又は、火災を検知する火災検知部を有し、
前記異種ガス検知部及び／又は火災検知部で前記異種のガスや火災が検知された場合、前記供給されるガスの漏れとは異種の遮断事象を示す異種遮断事象信号を、前記ガスメータに送信した後に、前記弁遮断信号を送信することを特徴とするガス警報遮断システム。
【請求項２】
請求項１に記載のガス漏れ警報遮断システムであって、前記ガスメータは、前記異種遮断事象信号を受信したときに、何らかの制御を実行しないことを特徴とするガス漏れ警報遮断システム。
【請求項３】
請求項１に記載のガス漏れ警報遮断システムであって、前記ガスメータは、前記異種遮断事象信号を受信したときに、前記供給されるガスの漏れとは異種の遮断事象が発生したことを認識する手段を有することを特徴とするガス漏れ警報遮断システム。
【請求項４】
請求項１〜３のいずれか１項に記載のガス漏れ警報遮断システムであって、前記ガス漏れ警報器は、前記異種遮断事象信号及び前記弁遮断信号を、擬似的に送信する操作を行う操作部を有することを特徴とするガス漏れ警報遮断システム。
【発明の詳細な説明】
【技術分野】
【０００１】
本発明は、ガス警報遮断システムに関し、より詳細には、ガスの遮断弁を内蔵又は外付けしたガスメータとガス漏れ警報器とを信号線で接続し、その信号線を通じてガス漏れ警報器とガスメータとの間で信号の送受信を行うようにしたガス警報遮断システムに関する。
【背景技術】
【０００２】
従来から、都市ガスやＬＰガスを住宅家屋等に供給する場合、電子式ガスメータ（マイコン式ガスメータとも言う）が住宅家屋等に設置され、さらにガス漏れ警報器でガス漏れが監視されている。そして、ガスを遮断するための遮断弁がガス供給路に設置されており、マイコン式ガスメータの内部での地震検知や流量異常検知などにより、またガス漏れ警報器からのガス漏れ検知により、この遮断弁が閉弁される。
【０００３】
図５は、従来のガス漏れ警報器とガスメータとを備えたガス警報遮断システムを示すブロック図で、図６は、図５のガス警報遮断システムで送受される各種信号の伝達形態を示すタイムチャートである。
【０００４】
図５のガス漏れ警報遮断システムは、ガス漏れ警報器３とマイコン式ガスメータ（以下、単に「ガスメータ」という）４とが２本の信号線で接続されており、ガスメータ４にはガス供給を遮断する遮断弁（図示せず）が制御可能に接続されている。ガス漏れ警報器３は、自器の通電や警報を表示するＬＥＤ等の表示部３１、ＬＰガスを検知するＬＰガスセンサ部３３、その検知に基づき警報を報知する警報部３２、ガスメータ４と連動するためにフォトカプラ（ＰＣ１及びＰＣ２）で構成された入出力部３８、並びに、各部からの信号をコントロールするＣＰＵ３７ａ等でなる制御部３７により構成される。警報部３２は、音声を発するためのスピーカ３２ａ及びアンプ（ＡＭＰ）３２ｂや、ブザー音を発するためのブザー３２ｃ及びその駆動回路３２ｄなどで構成される。
【０００５】
ガス漏れ警報器３からガスメータ４に対しては、弁遮断信号及び電源アンサ応答信号が出力される（図５のＡ方向）。このＡ方向への出力は、ガス漏れ警報器３側（ＣＰＵ３７ａ）での駆動制御により、入出力部３８のフォトカプラＰＣ１がＯＮ−ＯＦＦすることでなされる。逆に、ガスメータ４からガス漏れ警報器３に対しては、アンサ信号である、弁遮断アンサ、弁遮断予告アンサ、弁復帰安全確認アンサ、及び使用許可アンサが出力されると共に、電源アンサ要求信号及び未接続検知信号が出力される（図５のＢ方向）。このＢ方向への出力は、ガスメータ４側からの駆動制御により、入出力部３８のフォトカプラＰＣ２がＯＮ−ＯＦＦすることでなされる。なお、図５においては、Ａ方向、Ｂ方向とも、ガスメータ４から印加される電圧によって電流が流れる向きを示している。
【０００６】
これらの信号を出力するタイミングやその伝達形態について説明する。ガス漏れ警報器３がガス漏れを検知して一定時間後に弁遮断信号を出力すると、ガスメータ４はその信号のＯＮ−ＯＦＦ時間から弁遮断信号であると認識して、ガスメータ４の遮断弁を閉じると共に、ガス漏れ警報器３に対して弁遮断アンサを送出する。弁遮断信号及び弁遮断アンサは、図６（Ａ）に示すような形態で伝達される。そして、ガス漏れ警報器３は、この弁遮断アンサを認識すると、ガスメータ４の遮断弁が閉じたことを表す音声やブザー音を警報部３２から発生させ、ガスの使用ユーザへ知らせる。
【０００７】
なお、弁遮断予告アンサは、ガスの使用ユーザが長時間ガスを使い続けたときに、ガスメータ４に設定された遮断弁を閉止する予告を行うための信号である。例えば閉止の８分前になったときに、ガスメータ４からガス漏れ警報器３に対して送出を開始する。また、弁復帰安全確認アンサは、ガスメータ４の遮断弁復帰後、ガスが流れていないか確認する監視時間中に、ガスメータ４からガス漏れ警報器３に対して送出を開始する信号である。使用許可アンサは、その後、ガスが使用可能となったときに、ガスメータ４からガス漏れ警報器３に対して送出される信号である。弁遮断予告アンサ、弁復帰安全確認アンサ、及び使用許可アンサは、図６（Ｂ）に示すような形態で伝達される。これらのアンサ信号に対しても、ガス漏れ警報器３は音声やブザー音を警報部３２から発生させ、ガスの使用ユーザへ知らせる。
【０００８】
電源アンサ要求信号は、ガス漏れ警報器３に電源が通電されているか確認するため、ガスメータ４側からガス漏れ警報器３に対して送出される信号である。また、電源アンサ応答信号は、電源が入っている時、ガス漏れ警報器３からガスメータ４へ応答する信号であり、例えば図６（Ｃ）に示すように電源アンサ要求信号の受信からＴｘ後に発せられる幅Ｔｙの信号である。なお、未接続検知信号は、ガス漏れ警報器３がガスメータ４に接続されているか否かを検知するためにガス漏れ警報器３に対して出力される信号であり、この信号にはガス漏れ警報器３は反応しない。
【０００９】
また、特許文献１には、供給ガスの漏れを検知し、ガス漏れ警報信号（上述の弁遮断信号に相当）をガスメータに送信するガス漏れ警報器が開示されている。このガス漏れ警報器は、ガスメータから遮断通知信号（上述の弁遮断アンサ信号に相当）を受信したとき、この遮断通知信号を受信する前にガス漏れ警報信号（上述の弁遮断信号に相当）をガスメータに送信したか否かを判定し、送信していた場合に遮断弁がガス漏れ検知によって遮断されたことを警報し、送信していなかった場合に遮断弁がガス漏れ検知以外（流量異常や地震検知等）によって遮断されたことを警報する。
【特許文献１】特公平７−５９９７７号公報
【発明の開示】
【発明が解決しようとする課題】
【００１０】
上述のごとく、特許文献１に記載の技術を含む従来のガス警報遮断システムでは、ガス漏れ警報器が、「供給ガス」の漏れに対してガス漏れを検知した場合にのみ弁遮断信号をガスメータに送信している。
【００１１】
従って、もし供給ガスとは異種のガスであって危険性のあるガスが発生した場合や、火災が発生した場合にも、ガス漏れ警報器からは警報も発せられずさらにガスメータに対しても何ら信号が発せられないことから、屋外に設置してあるガスメータ側の流量異常などの検知を待たざるを得ない。
【００１２】
また、仮に、異種ガスや火災の検知をガス漏れ警報器側で実行するよう構成したとしても、単に弁遮断信号をガスメータに送信して遮断弁を閉じるよう制御するだけでは、遮断事象が供給ガス漏れであるのか異種ガスや火災であるのかをガスメータへ伝達することができない。
【００１３】
本発明は、上述のごとき実状に鑑みてなされたものであり、ガスメータとガス漏れ警報器とを信号線で接続したガス警報遮断システムにおいて、ガス漏れ警報器側で供給ガスとは異種のガスの検知や火災の検知を可能にし、且つ遮断事象が供給ガスの漏れか異種ガスや火災の検知かをガスメータ側に伝達することを可能にすることを、その目的とする。
【課題を解決するための手段】
【００１４】
上述のごとき課題を解決するために、本発明の第１の技術手段は、供給されるガスの流量を計測するガスメータと、該ガスメータに信号線により相互に接続され、前記ガスの漏れを検知して警報するガス漏れ警報器と、ガス供給路に設けられたガスの遮断弁とを備え、前記ガス漏れ警報器が、前記ガスの漏れを検知したときに前記信号線を介して前記ガスメータに弁遮断信号を送信し、前記ガスメータが、前記弁遮断信号を受信したときに、前記遮断弁を作動してガス供給路を遮断すると共に、前記信号線を介して前記遮断弁の遮断状態を示す弁遮断アンサ信号を前記ガス漏れ警報器に送信し、前記ガス漏れ警報器が、前記弁遮断アンサ信号を受信したときに、前記遮断弁が遮断していることを警報するガス警報遮断システムであって、前記ガス漏れ警報器は、前記供給されるガスとは異種のガスを検知する異種ガス検知部、及び／又は、火災を検知する火災検知部を有し、前記異種ガス検知部及び／又は火災検知部で前記異種のガスや火災が検知された場合、前記供給されるガスの漏れとは異種の遮断事象を示す異種遮断事象信号を、前記ガスメータに送信した後に、前記弁遮断信号を送信することを特徴としたものである。
【００１５】
第２の技術手段は、第１の技術手段において、前記ガスメータは、前記異種遮断事象信号を受信したときに、何らかの制御を実行しないことを特徴としたものである。
【００１６】
第３の技術手段は、第１の技術手段において、前記ガスメータは、前記異種遮断事象信号を受信したときに、前記供給されるガスの漏れとは異種の遮断事象が発生したことを認識する手段を有することを特徴としたものである。
【００１７】
第４の技術手段は、第１〜第３のいずれかの技術手段において、前記ガス漏れ警報器は、前記異種遮断事象信号及び前記弁遮断信号を、擬似的に送信する操作を行う操作部を有することを特徴としたものである。
【発明の効果】
【００１８】
本発明によれば、ガスメータとガス漏れ警報器とを信号線で接続したガス警報遮断システムにおいて、ガス漏れ警報器側で供給ガスとは異種のガスの検知や火災の検知を可能にし、且つ遮断事象が供給ガスの漏れか異種ガスや火災の検知かをガスメータ側に伝達することが可能となる。
【発明を実施するための最良の形態】
【００１９】
図１は、本発明に係る、ガス漏れ警報器とガスメータとを備えたガス警報遮断システムの一構成例を示すブロック図である。本発明に係るガス漏れ警報遮断システム（以下、本システムという）は、供給されるガスの流量を計測するガスメータ２と、供給されるガスの漏れを検知して警報するガス漏れ警報器１と、が信号線（ここでは２本の信号線で例示）で相互に接続されて構成される。
【００２０】
ガスメータ２は、一般的なマイコン式ガスメータであればよく、ガス供給を遮断する遮断弁（図示せず）がガス供給路に設置されている。この設置場所のガス供給路は、ガスメータ２の筐体内部（すなわちガスメータ２に内蔵）であっても、筐体外部の配管であってもよく、いずれの場合でもガスメータ２の制御部から弁制御が可能に構成される。以下、供給されているガスをＬＰガスとして例示するが、都市ガス等、他のガスが供給対象となっていてもよい。また、ガスメータ２に外部センタとの通信機能を備えることで、ガス流量や異常検知などの情報を外部センタに送信することができる。
【００２１】
ガス漏れ警報器１は、表示部１１、警報部１２（スピーカ１２ａ、ＡＭＰ１２ｂ、ブザー１２ｃ、駆動回路１２ｄ等）、ＬＰガスセンサ部１３、ＣＰＵ１７ａ等でなる制御部１７、入出力部１８を備える。これらの構成要素については、それぞれ、図５の表示部３１、警報部３２（スピーカ３２ａ、ＡＭＰ３２ｂ、ブザー３２ｃ、駆動回路３２ｄ等）、ＬＰガスセンサ部３３、制御部３７（ＣＰＵ３７ａ等）、及び入出力部３８と同様であり、その説明を省略する。但し、制御部１７における各部の制御については後述するが、制御部３７のそれとは異なる。
【００２２】
ガス漏れ警報器１は、さらに、ＣＯガスセンサ部１４、火災検知部１５、及びスイッチ１６を備え、これらがＣＰＵ１７ａに接続されている。ＣＯガスセンサ部１４は、ＬＰガスで例示の供給ガスとは異種のガスを検知する異種ガス検知部の一例である。ＣＯは火災時や石油ストーブ消火時などに発生する有毒ガスである。なお、ガス漏れ警報器１では、ＣＯ以外の有毒ガスの検知や発火する可能性のあるガスの検知も同時に行うよう構成してもよい。また、火災検知部１５は火災を検知する温度センサ等でなる。
【００２３】
以下、ガス漏れ警報器１がＣＯガスセンサ部１４、火災検知部１５、及びスイッチ１６の全てを備えるものとして説明するが、本システムのガス漏れ警報器１は、ＣＯガスセンサ部１４、火災検知部１５のいずれか一方を備えているだけでもよい。またスイッチ１６は、本システムに必須の構成ではないが、後述するように備えていた方が好ましい。
【００２４】
図２は、図１のガス警報遮断システムで、供給ガス（ここではＬＰガス）の漏れ検知時に送受される各種信号の伝達形態の一例を示すタイムチャートである。
【００２５】
図２を参照して説明すると、ＬＰガスセンサ部１３が通常のＬＰガスの漏れを検知しＣＰＵ１７ａに伝える。ＬＰガス漏れは、例えば所定濃度以上で検知するものとする。このとき、ＣＰＵ１７ａが監視状態から警報状態に移行することとなる。そして、ＣＰＵ１７ａは、この移行から（すなわちＬＰガス漏れが発生してから）一定時間Ｔ１だけＬＰガス漏れが続いたときに、ガスメータ２に対し信号線を介して弁遮断信号（ＬＰガス漏れ弁遮断信号）を送信（出力）するよう、入出力部１８を制御する。この出力は、図５及び図６で例示したように、ＣＰＵ１７ａでの駆動制御により、入出力部１８のフォトカプラＰＣ１がＯＮ−ＯＦＦすることで実行すればよい。図２では、弁遮断信号を、一定時間Ｔ２だけＯＮし、一定時間Ｔ２だけＯＦＦする信号として例示している。
【００２６】
ガスメータ２は、この弁遮断信号のＯＮ−ＯＦＦ時間を判別して弁遮断信号であると認識すると、ガスメータ２の遮断弁を作動（閉制御）してガス供給路を遮断すると共に、ガス漏れ警報器１に対し、信号線を介して遮断弁の遮断状態を示す弁遮断アンサを送信（出力）する。ここで、ガスメータ２は、内蔵電池の消耗を防止するため、このＯＮ−ＯＦＦ時間を測定するために、一定時間間隔の短いパルスで、フォトカプラＰＣ１の状態をチェックし、ＯＮ−ＯＦＦ‐ＯＮで、ＯＮ−ＯＦＦ時間が正しいかを判定するとよい。また、この出力は、図５及び図６で例示したように、ガスメータ２側からの駆動制御により、入出力部１８のフォトカプラＰＣ２がＯＮ−ＯＦＦすることで実行すればよい。
【００２７】
ガス漏れ警報器１が、その弁遮断アンサ信号を受信し、弁遮断アンサであることを認識すると、ガスメータ２の遮断弁が閉じたことを表す音声やブザー音等の警報を警報部１２から発生させ、ガスの使用ユーザへ知らせる。
【００２８】
図３は、図１のガス警報遮断システムで、異種ガス（ここではＣＯガス）の検知時や火災の検知時に送受される各種信号の伝達形態の一例を示すタイムチャートである。
【００２９】
図３を参照して説明すると、ＣＯガスセンサ部１４、火災検知部１５のいずれかが、通常のＬＰガス漏れとは異なる遮断事象（ＣＯガス及び／又は火災）の発生を検知すると、そのことをＣＰＵ１７ａに伝える。例えば、ＣＯガスは所定濃度以上で、また火災は所定温度以上で検知するものとする。
【００３０】
このときにも、ＣＰＵ１７ａが監視状態から警報状態に移行することとなる。そして、ＣＰＵ１７ａは、この移行から（すなわち異種の遮断事象が発生してから）一定時間Ｔａ後に、ガスメータ２に対し信号線を介して異種遮断事象信号を送信（出力）するよう、入出力部１８を制御する。ここで、異種遮断事象信号とは、供給ガスの漏れとは異種の遮断事象を示す信号であり、ガスメータ２にとって異種の遮断事象となる信号を指す。図３では、異種遮断事象信号を一定時間Ｔｂ１だけＯＮする信号を挙げている。なお、この出力も、ＣＰＵ１７ａでの駆動制御により、入出力部１８のフォトカプラＰＣ１がＯＮ−ＯＦＦすることで実行すればよい。
【００３１】
ＣＰＵ１７ａは、さらに一定時間Ｔｃだけ経過後、ガスメータ２に対し信号線を介して弁遮断信号（上述のＬＰガス漏れ弁遮断信号と同じ信号）を出力するよう、入出力部１８を制御する。
【００３２】
このように、ＣＯガスや火災が検知された場合、ＬＰガス漏れとは異種の遮断事象を示す異種遮断事象信号（Ｔｂ１だけＯＮ）を、ガスメータ２に送信した後に、上述の弁遮断信号（Ｔ２だけＯＮ後、Ｔ２だけＯＦＦの繰り返し）を送信する。特に、警報状態に移行してからの弁遮断信号の出力までの期間を一定に保つために、上述の例のように、弁遮断信号を発信する一定時間前に異種遮断事象信号を発信するよう制御することが好ましい。このとき、当然、Ｔａ＜Ｔ１となるが、弁遮断信号の出力までの期間を一定に保たなければＴａは任意でよい（但しＴｂ１，Ｔｃの値にもよるが、Ｔａ≠Ｔ１であることが好ましい）。
【００３３】
この弁遮断信号を認識したガスメータ２は、同様にガス供給路を遮断すると共に、ガス漏れ警報器１に対し遮断弁の遮断状態を示す弁遮断アンサを送信し、この弁遮断アンサを認識したガス漏れ警報器１が、遮断弁が閉じたことを表す警報を警報部１２から発生させ、ガスの使用ユーザへ知らせる。
【００３４】
ここで、ガスメータ２に（例えばその制御部に）、上述の異種遮断事象信号（すなわち上述の一定時間Ｔｂ１）を認識する認識手段を備えておくことで、ガス漏れ警報器１側からガスメータ２へ、ＣＯガスや火災検知に伴う遮断が必要な異種の遮断事象を伝達することが可能になる。すなわち、この認識手段を備えたガスメータ２は、ガス漏れ警報器１の制御と連動して、通常のＬＰガス漏れ以外の情報をガスメータ２側で判断することが可能になる。これにより、ガスメータ２は、具備した表示部での表示や、外部センタ等の外部への通信情報として、ＣＯガスや火災検知等のより詳細な情報を伝達することが可能になる。
【００３５】
さらに、ガスメータ２側に遮断事象を伝達可能としたことで、ガスメータ２を遮断事象に応じた弁遮断アンサを出力するよう構成するだけで、ガス漏れ警報器１が遮断事象に応じた弁遮断アンサを受信することができ、結果として弁遮断アンサに応じた種類の警報を発することができるようになる。また、このガスメータ２にガス漏れ警報器１を複数接続してなるシステムでは、弁遮断信号（及び異種遮断事象信号）を発したガス漏れ警報器１以外のガス漏れ警報器１にもＣＯガスや火災検知等のより詳細な情報を伝達でき、それらのガス漏れ警報器でも遮断事象に応じた警報を発することができる。
【００３６】
逆に、上述の異種遮断事象信号は、ガスメータが受信した場合にも何らかの制御を実行しない信号（反応できない信号）としてもよい。ガスメータが反応できない信号とは、ガスメータにおいて弁遮断信号等の信号であると判定されない信号である。そして、特に上述の認識手段を具備しないガスメータとは異なる既設のガスメータのみが反応できない信号とすることが好ましく、それによりこの信号は、既に設置済みのガスメータやそれを含めたガス漏れ警報遮断システムに影響を与えない信号となる。異種遮断事象信号として、例えば上述の一定時間Ｔｂ１をＴ２と同一にし且つＴｃ＞Ｔ２にしたものを採用するなどすればよい。
【００３７】
このような異種遮断事象信号を採用することで、既に設置済みで異種遮断事象信号を認識しないガスメータであっても、誤認識により誤作動することが無く、遮断事象にかかわらず安全に連動して遮断させることが可能になる。また、一定時間Ｔｂ１で表される異種遮断事象信号は、既に設置済みのガスメータが誤認識しない信号であれば、時間を変えたＯＮ−ＯＦＦ信号であってもよい。例えば、図３に図示したように、時間Ｔｂ１の間に時間Ｔｂ２を開けてＯＮを行う信号が挙げられる。
【００３８】
また、上述したいずれの構成のガス漏れ警報器１であっても、上述の異種遮断事象信号及び弁制御信号を擬似的に送信する操作を行う操作部を有することが好ましい。この操作部の一例としてスイッチ１６を挙げている。スイッチ１６により、ガス漏れ警報器１の外部から操作することで、容易に図３のごとき信号（異種遮断事象信号及びそれに続く弁遮断信号）を発信できるので、既に設置済みのガスメータに対して影響が無いことや、異種遮断事象信号を認識できるガスメータ２の認識具合を即時に確認することが可能となる。
【００３９】
図４は、図１のガス警報遮断システムにおける制御部（ＣＰＵ）の動作例を説明するためのフローチャートである。上述のごとき本システムの動作例を、ガス漏れ警報器１に電源が通電され、制御部１７のＣＰＵ１７ａが起動した状態から説明する。
【００４０】
まず、ＬＰガスセンサ部１３、ＣＯガスセンサ部１４、火災検知部１５の各センサが安定するまでの間、初期鳴動が発生しないように、初期鳴動停止期間（例えば約１分）にあるか、既に初期鳴動停止期間が経過したかをチェックする（ステップＳ１）。
【００４１】
ステップＳ１で初期鳴動停止期間経過後であった場合（ＮＯの場合）、ＣＯガスセンサ部１４及び火災検知部１５からＣＯガス又は火災を検知していないかチェックする（ステップＳ２）。ステップＳ２で検知していなかった場合、ＬＰガスセンサ部１３でＬＰガス漏れを検知していないかチェックする（ステップＳ３）。ＬＰガス漏れを検知していない場合にはステップＳ２へ戻り、検知している場合にはステップＳ４へ進む。
【００４２】
ステップＳ４は、ＬＰガス漏れ検知状態が続き、一定時間Ｔ１だけ経過したかをチェックする。Ｔ１は制御部１７に設けたタイマで計時し、ＬＰガス漏れが検知されなくなったとき、或いはＴ１経過後にリセットすればよい。ステップＳ４で一定時間Ｔ１経過していなければステップＳ２へ戻り、経過していた場合に、弁遮断信号をガスメータ２に出力する（ステップＳ５）。なお、ステップＳ５の処理後もステップＳ２へ戻る。
【００４３】
ステップＳ２で、ＣＯガス又は火災を検知している場合は、一定時間Ｔａだけ継続したか否かを判定する（ステップＳ６）。Ｔａは制御部１７に設けたタイマで計時し、ＣＯガス、火災の双方が検知されなくなったとき、或いはＴａ経過後にリセットすればよい。ステップＳ６で経過していなかった場合にはステップＳ２へ戻り、経過していた場合には異種遮断事象信号（一定時間Ｔｂ１だけＯＮ、或いはＯＮ後に一定時間Ｔｂ２ＯＦＦしてＯＮする信号）を出力する（ステップＳ７）。続いて、出力完了から一定時間Ｔｃが経過したか否かを判定し（ステップＳ８）、経過した場合にはステップＳ５へ進み弁遮断信号を出力する。一方、経過しなかった場合にはステップＳ２へ戻る。Ｔｃは制御部１７に設けたタイマで計時し、ステップＳ７で出力を完了したとき、或いはＴｃ経過後にリセットすればよい。
【００４４】
また、ステップＳ１で初期鳴動停止時間が経過していないと判定された場合には、スイッチ１６が押されたか否かをチェックし（ステップＳ９）、押された場合（ＯＮされた場合）、異種遮断事象信号を出力後、一定時間Ｔｃだけ経過したときに弁遮断信号を出力する（ステップＳ１０）。ステップＳ９，Ｓ１０の処理を、ここで説明したように初期鳴動停止期間内で実行することで、既に設置済みのガスメータに対して影響が無いことや異種遮断事象信号を認識可能なガスメータ２の認識具合を確認してから、実際の検知が実行できる。なお、初期鳴動停止時間経過後のタイミングでスイッチ１６が押下された場合にその押下操作を無視してもよいが、そのような通常の動作時でのテストも想定できるため、無視せずに異種遮断事象信号の発信を実行してもよい。
【図面の簡単な説明】
【００４５】
【図１】本発明に係る、ガス漏れ警報器とガスメータとを備えたガス警報遮断システムの一構成例を示すブロック図である。
【図２】図１のガス警報遮断システムで、供給ガスの漏れ検知時に送受される各種信号の伝達形態の一例を示すタイムチャートである。
【図３】図１のガス警報遮断システムで、異種ガスの検知時や火災の検知時に送受される各種信号の伝達形態の一例を示すタイムチャートである。
【図４】図１のガス警報遮断システムにおける制御部の動作例を説明するためのフローチャートである。
【図５】従来のガス漏れ警報器とガスメータとを備えたガス警報遮断システムを示すブロック図である。
【図６】図５のガス警報遮断システムで送受される各種信号の伝達形態を示すタイムチャートである。
【符号の説明】
【００４６】
１…ガス漏れ警報器、２…ガスメータ（マイコン式ガスメータ）、１１…表示部、１２…警報部、１２ａ…スピーカ、１２ｂ…アンプ（ＡＭＰ）、１２ｃ…ブザー、１２ｄ…駆動回路、１３…ＬＰガスセンサ部、１４…ＣＯガスセンサ部、１５…火災検知部、１６…スイッチ、１７…制御部、１７ａ…ＣＰＵ、１８…入出力部。
【図１】
2009064081.tif 000003
【図２】
2009064081.tif 000004
【図３】
2009064081.tif 000005
【図４】
2009064081.tif 000006
【図５】
2009064081.tif 000007
【図６】
2009064081.tif 000008